(57)【要約】      （修正有）【課題】被検者による刺激の感知の表明に基づいて被検者の神経の評価を行う際に、正常な検査が行われているか否かを判定できる末梢神経検査装置、末梢神経検査方法、及びプログラムを提供する。【解決手段】末梢神経検査装置１は、被検者による刺激の感知の表明に基づいて被検者の神経の評価を行う。刺激制御部１３は、被検者に与える強度を変えた複数回の刺激を制御する。測定部１２は、複数回の刺激の各々に対する被検者の反応時間の測定値を測定する。出力部１４は、複数回の刺激の強度と測定値との関係を出力する。【選択図】図１
2019072321.tif 000002
【特許請求の範囲】
【請求項１】
被検者による刺激の感知の表明に基づいて前記被検者の末梢神経の検査を行う装置であって、
強度を変えた複数回の刺激を前記被検者に与える刺激制御部と、
前記複数回の刺激の各々について、前記被検者の反応時間の測定値を測定する測定部と、
刺激の強度の変化に対する前記測定値の変化の関係を出力する出力部と、を備える、末梢神経検査装置。
【請求項２】
前記出力部は、第１軸を刺激の強度として第２軸を反応時間とした２次元グラフを表示するためのデータを出力し、当該２次元グラフに前記複数回の刺激の各回の前記測定値をプロットするためのデータを出力する、ことを特徴とする請求項１に記載の末梢神経検査装置。
【請求項３】
前記出力部は、刺激の強度に対する反応時間の正常範囲及び異常範囲の少なくとも一方を示す指標情報を、前記２次元グラフに表示するためのデータを出力する、ことを特徴とする請求項２に記載の末梢神経検査装置。
【請求項４】
前記指標情報は、Ｃ線維の正常又は異常な反応時間を示す第１領域と、Ａδ線維の正常又は異常な反応時間を示す第２領域と、を含むことを特徴とする請求項３に記載の末梢神経検査装置。
【請求項５】
前記第１領域は、Ｃ線維の正常な反応時間を示す第１ボックスであり、
前記第２領域は、Ａδ線維の正常な反応時間を示す第２ボックスである、ことを特徴とする請求項４に記載の末梢神経検査装置。
【請求項６】
前記第１ボックスと前記第２ボックスは、異なる表示効果により表されている、ことを特徴とする請求項５に記載の末梢神経検査装置。
【請求項７】
前記第１ボックスと前記第２ボックスは、異なる色の枠線、異なる線種、または異なる塗色により表されている、ことを特徴とする請求項６に記載の末梢神経検査装置。
【請求項８】
被検者による刺激の感知の表明に基づいて前記被検者の末梢神経の評価を行う装置であって、
強度を変えた複数回の刺激を前記被検者に与える刺激制御部と、
前記複数回の刺激の各々に対する前記被検者の反応時間の測定値を測定する測定部と、
刺激の強度の変化に対する前記測定値の変化に基づいて、検査が正常に行われたか否かを判定する判定部と、  
前記判定部による判定結果を出力する出力部と、を備える、末梢神経検査装置。
【請求項９】
被検者による刺激の感知の表明に基づいて前記被検者の末梢神経の検査を行う末梢神経検査方法であって、
前記被検者に与える強度を変えた複数回の刺激を制御する刺激制御ステップと、
前記複数回の刺激の各々について、前記被検者の反応時間の測定値を測定する測定ステップと、
刺激の強度の変化に対する前記測定値の変化の関係を出力する出力ステップと、を備える、末梢神経検査方法。
【請求項１０】
コンピュータに、被検者による刺激の感知の表明に基づいて前記被検者の末梢神経の検査を実現させるためのプログラムであって、
前記被検者に与える強度を変えた複数回の刺激を制御する刺激制御ステップと、
前記複数回の刺激の各々について、前記被検者の反応時間の測定値を測定する測定ステップと、
刺激の強度の変化に対する前記測定値の変化の関係を出力する出力ステップと、を実行させるためのプログラム。
【発明の詳細な説明】
【技術分野】
【０００１】
本発明は被検者の末梢神経の検査を行う末梢神経検査装置、末梢神経検査方法、及びプログラムに関する。
【背景技術】
【０００２】
簡易な構成で末梢神経検査を行う技術として特許文献１が知られている。特許文献１は、Ｃ線維のみを選択的に刺激可能な痛覚神経刺激装置を開示している。
【０００３】
特許文献１を応用した装置として非特許文献１に紹介する末梢神経検査装置が挙げられる（非特許文献１）。当該末梢神経検査装置を用いた検査では、被検者に刺激用の電極を貼付すると共にスイッチを把持させ、検査者は末梢神経検査装置を操作して出力したい電流値を設定して刺激出力を行う。被検者は、刺激を感じたらスイッチを押下する。末梢神経検査装置は電流値や反応時間（刺激開始からスイッチを押下するまでの時間）を基に被検者の末梢神経の正常性の検査を行う。このような末梢神経検査装置を用いた場合、脳波検査のように電極を頭皮に装着することなく、簡易な構成で末梢神経の検査を行うことができる。
【先行技術文献】
【特許文献】
【０００４】
【特許文献１】特開２０１１−１６４８７９号公報
【非特許文献】
【０００５】
【非特許文献１】携帯型末梢神経検査装置ＰＮＳ−７０００、[平成２９年９月２５日検索]、インターネット<URL: http://www.nihonkohden.co.jp/iryo/documents/pdf/H901653C.pdf>
【非特許文献２】木村淳、幸原信夫著、“神経伝導検査と筋電図を学ぶ人のために”、医学書院
【非特許文献３】Koji Inui, Ryusuke Kakigi, “Pain perception in humans: use of intraepidermal electrical stimulation”, J Neurol Neurosurg Psychiatry 83: 551-556, 2012.
【非特許文献４】Maxim Churyukanov, Leon Plaghki, Valery Legrain, Andre Mouraux, “Thermal Detection Thresholds of Aδ- and C-Fibre Afferents Activated by Brief Co2 Laser Pulses Applied onto the Human Hairy Skin”, PLoS ONE 7(4): e35817. https://doi.org/10.1371/journal.pone.0035817
【非特許文献５】Mark J.Zylka, Frank L. Rice, and David J.Anderson, “Topographically Distinct Epidermal Nociceptive Cricuits Revealed by Axonal Tracers Targeted to Mrgprd”, Neuron, Vol. 45, 17-25, January 6 2005
【発明の概要】
【発明が解決しようとする課題】
【０００６】
非特許文献１をはじめとする装置を用いた検査では、刺激の強度を変化させながら、複数回の刺激毎に被検者の反応時間を測定する。そして、被検者が感知できた最小の刺激の強度と反応時間を基に被検者の神経系の検査を行うことが一般的である。
【０００７】
これらの末梢神経検査では、被検者のスイッチの押下（ひいては感知の表明）に応じて刺激に対する反応時間が定まる。そのため、被検者が操作ミスを行う場合や、被検者の検査への取り組みが不適切である場合が生じ得る。このような場合、強度を変えた複数回の刺激の各回の反応時間が適切ではないにもかかわらず、最小感知電流値が偶然に正常値となったために、被検者の検査が正常に行われたと判定してしまう恐れがあった。すなわち、最小の感知刺激強度のみを判断基準とする検査では、正常な検査が行われているかが分からないという問題があった。
【０００８】
そこで本発明は、被検者による刺激の感知の表明（例えばスイッチの押下）に基づいて前記被検者の末梢神経の検査を行う際に、正常な検査が行われているか否かを判定できる末梢神経検査装置、末梢神経検査方法、及びプログラムを提供することを主たる目的とする。
【課題を解決するための手段】
【０００９】
本発明に係る末梢神経検査装置の一態様は、
被検者による刺激の感知の表明に基づいて前記被検者の末梢神経の検査を行う装置であって、
強度を変えた複数回の刺激を前記被検者に与える刺激制御部と、
前記複数回の刺激の各々について、前記被検者の反応時間の測定値を測定する測定部と、
刺激の強度の変化に対する前記測定値の変化の関係を出力する出力部と、を備える、ものである。
【００１０】
末梢神経検査装置は、刺激の強度の変化に対する反応時間の測定値の変化の関係を出力するように構成されている。検査者は、出力された情報を参照することにより検査が正常に行われたか否か（末梢神経の検査が正常に行われたか否か）を簡単に判定することができる。
【発明の効果】
【００１１】
本発明は、被検者による刺激の感知の表明に基づいて前記被検者の末梢神経の検査を行う際に、正常な検査が行われているか否かを判定できる末梢神経検査装置、末梢神経検査方法、及びプログラムを提供することができる。
【図面の簡単な説明】
【００１２】
【図１】実施の形態１にかかる末梢神経検査装置１の構成を示すブロック図である。
【図２】実施の形態１にかかる出力部１４による出力画面例（正常検査時）である。
【図３】実施の形態１にかかる出力部１４による出力画面例（異常検査時）である。
【図４】実施の形態１にかかる出力部１４による出力画面例（正常検査時）である。
【図５】実施の形態２にかかる末梢神経検査装置１の構成を示すブロック図である。
【図６】実施の形態１または２にかかる末梢神経検査装置１のハードウェア構成を示す図である。
【発明を実施するための形態】
【００１３】
はじめに本発明の前提となる事項について詳細に説明する。神経線維には、複数の種類（Ｃ線維、Ａδ線維、等）がある。Ｃ線維は、Ａδ線維よりも電気刺激に対して興奮しやすいことが知られている（非特許文献３、非特許文献４）。例えば非特許文献３には、Ｃ線維がレーザによる刺激に約４０℃で反応し、Ａδ線維が約４６℃で反応したことが示されている。すなわちＣ線維の方がＡδ線維よりも弱い強度の刺激に反応したことが示されている。これは、Ｃ線維の方がＡδ線維よりも末梢まで神経が伸びていることにより（非特許文献５Ｆｉｇ．５Ｂ）、Ｃ線維の方がより微弱な刺激であっても反応すると考えられるためである。
【００１４】
また、神経線維の種別によって伝導時間が異なることが広く知られている（非特許文献２）。例えばＡδ線維の伝導速度は約１０〜３０ｍ／ｓであるのに対し、Ｃ線維の伝導速度は約０．５〜２．５ｍ／ｓである。
【００１５】
すなわち弱い強度（以下の説明例では０．０５ｍＡ〜０．２０ｍＡ）の刺激を被検者に与えた場合、Ｃ線維のみが刺激に反応し、その伝導速度は遅くなる。すなわち刺激を与えてから刺激を認識するまでの時間が長くなる。
【００１６】
また強い強度（以下の説明例では０．３０ｍＡ〜）の刺激を被検者に与えた場合、Ａδ線維も刺激に反応するため、伝導速度は速くなる。すなわち刺激を与えてから刺激を認識するまでの時間が短くなる。
【００１７】
以下の末梢神経検査装置１は、この特性を前提とした動作を行う。
【００１８】
＜実施の形態１＞
本実施の形態に係る末梢神経検査装置１は、上記の特徴を応用した構成となる。以下、図面を参照して本発明の実施の形態について説明する。図１は、本実施の形態に係る末梢神経検査装置１の構成を示すブロック図である。
【００１９】
末梢神経検査装置１は、被検者による刺激の感知の表明に基づいて被検者の末梢神経の評価を行う装置である。より詳細には末梢神経検査装置１は、被検者の末梢神経に対して電極３０を介して刺激を与える。被検者は刺激を感じた際に操作部２０（好適には把持型のスイッチ）を操作することにより刺激を感じたことを表明する。末梢神経検査装置１は、与えた刺激の強度と反応時間（刺激開始から操作部２０が操作されるまでの時間）の測定値を基に被検者の末梢神経の評価を行う。以下、詳細構成について説明する。
【００２０】
末梢神経検査装置１は、本体部１０と操作部２０を有する。本体部１０と操作部２０の間は、一般的なケーブルで接続されている。また本体部１０は、使い捨ての電極３０と着脱可能に構成されている。なお電極３０は、被検者の末梢神経に刺激を与える部材の一態様であり、例えば被検者の皮膚に貼付可能なディスポーザブル電極である。電極３０は、特許文献１と同様に、先端を被検査者の皮膚内に僅かに刺して用いる第１電極と、第１電極の周囲に配置されて被検査者の皮膚に接触させて用いる第２電極で構成しても良い。
【００２１】
電極３０の代わりに被検者の末梢神経に刺激を与えるプローブ等が本体部１０に接続される構成であってもよい。
【００２２】
本体部１０は、好適には検査者（例えば医療従事者）が把持可能な大きさの筐体である。本体部１０の筐体上には入力部１５やディスプレイ１６が配置されている。例えば入力部１５は、本体部１０の筐体上に設けられたボタンやスクロールホイール等である。検査者は、入力部１５を操作することにより任意の設定や刺激開始の合図等を入力する。ディスプレイ１６は、本体部１０の筐体上に設けられた液晶ディスプレイである。なお本体部１０は、図示しないスピーカや電源も備えてもよい。またディスプレイ１６は、入力部１５の機能を備えた形態（いわゆるタッチディスプレイ）であってもよい。
【００２３】
操作部２０は末梢神経検査を受ける被検者が操作するインターフェイスである。好適には操作部２０は、被検者に把持される把持型のスイッチである。操作部２０の内部には、スイッチの押下が生じた際に検知信号を本体部１０に送信するための各種の電気回路等が配置されている。検知信号はケーブルを介して本体部１０に入力される。
【００２４】
被検者は、電極３０を介して刺激を感知した際に操作部２０を操作し、刺激を感知したことを本体部１０に通知する（換言すると被検者は刺激を感じたことを表明する）。
【００２５】
本体部１０は、制御部１１を備える。制御部１１は、末梢神経検査装置１の各種の制御を行う処理部であり、測定部１２、刺激制御部１３、及び出力部１４を有する。
【００２６】
刺激制御部１３は、電極３０を介して与える刺激の強度やタイミングを制御する。刺激制御部１３は、電極３０を介して強度を変えた複数回の刺激を被検者に与える。刺激の強度は、電流値や電圧値の大きさにより制御すればよい。以下の説明では、刺激の強度を電流値の変化により制御するものとする。
【００２７】
刺激制御部１３が制御する刺激の強度の変化や刺激回数は、検査者が入力部１５を介して設定できる。検査者は、例えば初回の刺激の電流値、電流値の増減単位、刺激回数、等を入力部１５を介して入力する。また検査者は刺激毎に電流値や刺激タイミングを入力部１５を介して入力してもよい。刺激制御部１３は、入力された電流値等の情報を基に電極３０を介して複数回の電気刺激を実行する。なお刺激制御部１３は、徐々に強度が強くなるように刺激の出力を制御してもよく、徐々に強度が弱くなるように刺激の出力を制御してもよい。
【００２８】
測定部１２は、電極３０を介して与える複数回の刺激について、各回の反応時間の測定値を測定する。測定部１２は、例えば刺激制御部１３による刺激開始の通知信号と、操作部２０から入力される検知信号と、を用いて各回の刺激に対する反応時間の測定値を算出すればよい。
【００２９】
出力部１４は、測定部１２が測定した各回の刺激に対する反応時間の測定値を取得する。また出力部１４は、刺激制御部１３が制御した各回の刺激の強度の情報を取得する。すなわち出力部１４は、各回の刺激の強度と反応時間の測定値との組を取得する。
【００３０】
出力部１４は、複数回の刺激について、各回の刺激の強度と、各回の刺激に対する反応時間の測定値と、の関係を出力する。好適には出力部１４は、刺激の強度と、刺激に対する反応時間の測定値と、の関係を２次元グラフでディスプレイ１６に表示するためのデータを出力する。当該表示について図２〜４を参照して説明する。
【００３１】
図２は被検者の末梢神経検査が正常に行われた場合の２次元グラフを示し、図３は被検者の末梢神経検査が正常に行われなかった場合の２次元グラフを示す。各２次元グラフの横軸（第１軸）には刺激の強度（電流値）が表示され、縦軸（第２軸）には反応時間が表示される。なお横軸に反応時間を示し、縦軸に刺激の強度（電流値）を示してもよい。
【００３２】
図示するように出力部１４は、各回の刺激の電流値と反応時間の測定値をプロットし、各点を線で結んでいる表示を行うためのデータを出力する。上述のように刺激の強度が小さい場合（所定の閾値以下の場合）には伝導速度の遅いＣ線維のみが反応し、刺激の強度が大きい場合（所定の閾値以上の場合）には伝導速度の速いＡδ線維も反応する。そのため、図２に示すように刺激の強度が一定の値以上となった際に、反応時間が急激に落ちることが正常である。図２の例では、電流値が０．２０ｍＡ程度までは反応時間が１．００〜１．５０秒程度であり、電流値が０．３０ｍＡを超えた辺りから反応時間が概ね０．５０秒以下となる。
【００３３】
ここで出力部１４は、反応時間の正常範囲及び異常範囲の少なくとも一方を示す指標情報を出力することが好ましい。図２の例では出力部１４は、Ｃ線維による反応時間の正常範囲を示す領域（第１領域）であるボックスＢ１（第１ボックス）と、Ａδ線維による反応時間の正常範囲を示す領域（第２領域）であるボックスＢ２（第２ボックス）を表示するためのデータを出力している。なおボックスＢ１及びボックスＢ２の大きさ（反応時間の範囲、及び電流値の範囲）は、例えば十分な数の被検者による検査結果を基に定めればよい。またボックスＢ１及びＢ２の大きさは、検査対象の被検者の属性（年齢、性別、等）も勘案して決定してもよい。ボックスＢ１及びボックスＢ２の範囲内に各測定値が収まっているか否かは、検査の正常性の判定指標となる。
【００３４】
ボックスＢ１とボックスＢ２は、異なる表示効果により表されていることがより望ましい。例えばボックスＢ１とボックスＢ２は、異なる線種の枠線、異なる線色の枠線、または異なる塗色で示されていることが好ましい。異なる表示効果で示されていることにより、検査者は刺激される神経の違いを容易に理解することができる。
【００３５】
検査者は、この２次元グラフを参照し、検査が正常に行われたか否かを判定する。検査者は、ある電流値を超えた時点で反応時間の測定値が急激に小さくなっている場合、正常に検査が行われたと判定する（図２）。検査者は、電流値の大小にかかわらずに反応時間の測定値があまり変化しないような場合、検査が正常に行われなかった（異常であった）と判定する（図３）。また検査者は、電流値の上昇に従って反応時間の測定値が上昇している場合にも検査が正常に行われなかったと判定する。図３の例では、Ａδ線維が刺激される電流値であっても反応時間の測定値がかなり大きな時間となっているため、被検者が検査の意図を理解していない可能性等がある。検査者は、検査が正常に行われなかった場合、例えば検査のやり直しや検査の説明を再度行えばよい。なお検査者は、当該判定に際して、正常値の指標となるボックスＢ１及びボックスＢ２を適宜参照することがより好ましい。すなわちボックスＢ１及びボックスＢ２の内部に各測定値（各プロット）が収まっているような場合、検査者は検査が正常に行われた可能性が高いと判定してよい。
【００３６】
なお図２や図３に示すボックスＢ１及びボックスＢ２は、反応時間の正常又は異常を判定するための指標情報の一種である。出力部１４は、この他の方式で当該指標情報を表示するためのデータを出力してもよい。例えば出力部１４は、図２の例では反応時間の正常値域を示していたが、正常値域では無く異常値域を代わりに表示するためのデータを出力してもよい。また出力部１４は、ボックスＢ１とボックスＢ２が組み合わさったような図形を表示するためのデータを出力してもよく、反応時間の正常値域と異常値域を隔てる横線のみを表示するためのデータを出力してもよい。
【００３７】
また被検者の違いや刺激位置の違いによって、Ａδ線維が反応を開始する電流値に多少のバラツキがあることが考えられる。そのため出力部１４は、例えば図４のボックスＢ３を表示してもよい。当該ボックスＢ３は、Ｃ線維の正常な反応時間を示す領域Ａ１とＡδ線維の正常な反応時間を示す領域Ａ２を結ぶようにして構成される。
【００３８】
なお、出力部１４は上述の説明（図２〜図４）では刺激の強度の変化に対する反応時間の測定値の変化の関係を２次元グラフで表示するためのデータを出力したが、必ずしもこれに限られない。例えば出力部１４は、刺激の強度と反応時間の測定値の関係を表形式（刺激の強度と反応時間の測定値の組が列挙された表）でディスプレイ１６に出力してもよく、ＣＳＶ（Comma-Separated Values）フォーマット等で電子ファイルとして出力してもよい。この場合には検査者は、出力された表や電子ファイルを参照することによって検査が正常に行われたか否かを判定する。
【００３９】
出力部１４は、表形式や電子ファイルとして出力を行う場合、上述の指標情報も合わせて出力することが好ましい。例えば出力部１４は、電流値０．４０ｍＡの際の反応時間の測定値に加えて、電流値０．４０ｍＡの際の反応時間の正常範囲も合わせて表に記載するように出力すればよい。
【００４０】
なお出力部１４は、複数回の刺激毎に刺激の強度と反応時間の測定値の組を出力することが好ましいが、刺激の強度の変化に対する測定値の変化の関係の出力するものであればこの他のものであってもよい。すなわち出力部１４は、１０回の刺激が行われた場合に、２回以上の刺激に関する強度と反応時間の測定値の関係を最低限出力すればよい。例えば出力部１４が（Ｃ線維が反応すると思われる強度（例えば０．１５ｍＡ）と反応時間の測定値）と（Ａδ線維が反応すると思われる強度（例えば０．４０ｍＡ）における反応時間の測定値）の２つを最低限出力するようなものであれば良く、当該構成であっても検査者は検査の正常性を判断することができる。
【００４１】
続いて本実施の形態に係る末梢神経検査装置１の効果について説明する。上述のようにＡδ線維とＣ線維では刺激に対する反応のし易さが異なり、伝導速度も異なる。そのため、強度を変えた複数回の刺激を与えた際に、この性質に従った反応時間が測定されなければ検査が正常に行われていない恐れがあった。末梢神経検査装置１は、刺激の強度の変化に対する反応時間の測定値の変化の関係を出力するように構成されている。例えば末梢神経検査装置１は、刺激の強度と反応時間の測定値を２次元グラフ（図２、図３）で表示する。検査者は、この２次元グラフを参照することにより検査が正常に行われたか否か（末梢神経の検査が正常に行われたか否か）を簡単に判定することができる。
【００４２】
また末梢神経検査装置１は、図２等に示したように反応時間の正常値域（図２の例ではボックスＢ１／Ｂ２）も測定値に加えて表示する。検査者は、測定値と正常値域を比較することにより、正確に検査の正常性を判定することができる。
【００４３】
＜実施の形態２＞
実施の形態２にかかる末梢神経検査装置１Ａは、検査が正常に行われたか否かを判定し、判定結果を通知することを特徴とする。実施の形態２にかかる末梢神経検査装置１Ａについて実施の形態１と異なる点を以下に説明する。なお、実施の形態１と同一名称及び同一符号を付した処理部については、特に言及しない限り実施の形態１と同様の動作を行うものとする。
【００４４】
図５は、本実施の形態に係る末梢神経検査装置１の構成を示すブロック図である。図１の構成に比べて制御部１１Ａ内に判定部１７を更に有する。判定部１７は、刺激制御部１３が制御する各刺激の電流値（強度）と、測定部１２が測定した各刺激に対する反応時間の測定値と、を取得する。そして判定部１７は、刺激の強度の変化（電流値の変化）に対する測定値の変化に基づいて検査が正常に行われたか否かを判定する。判定部１７は、判定結果を出力部１４に通知する。
【００４５】
以下、判定部１７による判定処理の第１例について説明する。判定部１７は、刺激の強度に対する反応時間の正常又は異常の指標をハードディスク等から読み出す。当該指標は、例えば図２や図３に示した反応時間の正常値域（ボックスＢ１やボックスＢ２に相当する情報）である。そして判定部１７は、各刺激に対する反応時間の測定値が正常値域内に入っている場合には検査が正常に行われたと判定する。一方で判定部１７は、各刺激に対する反応時間の測定値が正常値域から外れている場合、検査が正常に行われなかったと判定する。すなわち判定部１７は、図２や図３において検査者が目視で行っていた検査の正常性の判定を自動的に行う。
【００４６】
続いて判定部１７による判定処理の第２例について説明する。判定部１７は、電流値を変化させた場合の反応時間の測定値の変化を参照する。そして判定部１７は、反応時間の測定値が急峻に変化している点があるか否かを判定する。より具体的には判定部１７は、刺激の強度を強くしていった際に反応時間の測定値が急激に小さくなる箇所が存在するか否かを判定する。このような箇所が存在する場合、判定部１７は、検査が正常に行われたと判定する。一方で判定部１７は、反応時間の測定値が急激に小さくなる箇所が存在しない場合、検査が正常に行われなかったと判定する。
【００４７】
なお判定部１７は、上述の第１例と第２例を組み合わせて検査の正常性を判定してもよい。すなわち判定部１７は、各測定値が正常値域に入っており、かつ測定値が急峻に変化している箇所がある場合には検査が正常に行われたと判定する。
【００４８】
出力部１４は、判定部１７による判定結果をディスプレイ１６やスピーカ１８を介して出力する。例えば出力部１４は、検査が正常に行われなかった事を示す警告メッセージをディスプレイ１６に表示したり、アラーム音をスピーカ１８を介して出力すればよい。また出力部１４は、検査が正常に行われた場合にも適宜表示（“検査は正常に終了しました”というメッセージ）や音声通知を行ってもよい。
【００４９】
なお出力部１４は、図２や図３に示した２次元グラフ等をディスプレイ１６に表示してもよい。
【００５０】
続いて本実施の形態に係る末梢神経検査装置１Ａの効果について説明する。本実施の形態において末梢神経検査装置１Ａは、検査が正常に行われたか否かを機械的（自動的）に判定して通知する。これにより検査者の主観に影響されることなく、正確に検査の正常性を把握することができる。
【００５１】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００５２】
なお図１及び図５の構成は本体部１０の機能的特性に着目したブロック図であるが、図６に本体部１０のハードウェア構成の一例を示す。本体部１０は、メモリ１０１、ハードディスク１０２、ＣＰＵ１０３、外部インターフェイス１０４、入力部１５、ディスプレイ１６を有する。なお本体部１０は、図示しないスピーカや各種の電気回路等を含む。各構成要素間はバス１０５により接続されている。
【００５３】
外部インターフェイス１０４は、操作部２０（好適にはスイッチ）が本体部１０に接続されるためのインターフェイスである。外部インターフェイス１０４には、操作部２０から検知信号が入力される。
【００５４】
ハードディスク１０２は、本体部１０内の二次記憶装置であり、各種の情報を記憶する。なおハードディスク１０２は必ずしも本体部１０に内蔵されている必要は無く、本体部１０に着脱可能な構成であってもよい。ハードディスク１０２には、上述の操作の実行に必要な各種のデータやプログラムが格納されている。
【００５５】
ＣＰＵ（Central Processing Unit）１０３は、上述の制御部１１，１１Ａ（測定部１２、刺激制御部１３、出力部１４）の各種の処理の実行に必要なデータやプログラムをメモリ１０１上に展開し、プログラムに含まれる各命令を実行する。なお制御部１１，１１Ａ（測定部１２、刺激制御部１３、出力部１４）の各種の処理の少なくとも一部は、図示しない周辺回路等によって実現されてもよい。
【００５６】
ここでプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００５７】
１，１Ａ  末梢神経検査装置
１０  本体部
１１，１１Ａ  制御部
１２  測定部
１３  刺激制御部
１４  出力部
１５  入力部
１６  ディスプレイ
１７  判定部
１８  スピーカ
２０  操作部
３０  電極
１０１  メモリ
１０２  ハードディスク
１０３  ＣＰＵ
１０４  外部インターフェイス
１０５  バス
【図１】
2019072321.tif 000003
【図２】
2019072321.tif 000004
【図３】
2019072321.tif 000005
【図４】
2019072321.tif 000006
【図５】
2019072321.tif 000007
【図６】
2019072321.tif 000008